【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
ブレードと、
動作可能なように前記ブレードに接続され、前記ブレードが回転すると発電をする複数の巻線を有した電力出力装置と、
可変速度で前記電力出力装置を動作させ、かつ風力タービンからの電力出力を空気力学的失速により制御するコントローラと、を備え、
前記コントローラは、電流に基づく前記風力タービンの動作に対抗するトルクの増加により、前記風力タービンの動作を制御する風力タービン。
【請求項２】
電流に基づく前記風力タービンの動作に対抗するトルクの増加は、パルス幅変調を前記電力出力装置の前記複数の巻線の少なくとも１つに加えることを含む請求項１に記載の風力タービン。
【請求項３】
電流に基づく前記風力タービンの動作に対抗するトルクの増加は、前記電力出力装置の前記複数の巻線の少なくとも１つを短絡することを含む請求項１に記載の風力タービン。
【請求項４】
前記風力タービンの動作は、停止スイッチを用いて短絡させることにより制御される請求項３に記載の風力タービン。
【請求項５】
前記停止スイッチは、リレーを備える請求項４に記載の風力タービン。
【請求項６】
前記リレーは、常時開である請求項５に記載の風力タービン。
【請求項７】
電流に基づくトルクの増加は、バックアップ回路により発生する請求項１に記載の風力タービン。
【請求項８】
前記バックアップ回路は停止コントローラを備える請求項７に記載の風力タービン。
【請求項９】
前記風力タービンの動作は、電圧源に接続される単一のリレーを用いて、短絡することにより制御される請求項３に記載の風力タービン。
【請求項１０】
前記電圧源は、コンデンサである請求項９に記載の風力タービン。
【請求項１１】
前記風力タービンの動作は、停止コントローラを用いて、短絡することにより制御され、かつ前記単一のリレーは、前記停止コントローラに連結される請求項１０に記載の風力タービン。
【請求項１２】
前記風力タービンは、少なくとも１つのトリガー装置をさらに備え、
前記風力タービンの動作は、少なくとも１つのトリガー装置から受信する信号に従う、電流に基づくトルクの増加により、制御される請求項１に記載の風力タービン。
【請求項１３】
前記少なくとも１つのトリガー装置は、電圧トリガー装置を備える請求項１２に記載の風力タービン。
【請求項１４】
前記電圧トリガー装置は、ツェナーダイオードを備える請求項１３に記載の風力タービン。
【請求項１５】
前記少なくとも１つのトリガー装置は、回転速度判断器を備える請求項１２に記載の風力タービン。
【請求項１６】
前記少なくとも１つのトリガー装置は、前記電力出力装置の前記複数の巻線の少なくとも１つに連結する電流センサを備える請求項１２に記載の風力タービン。
【請求項１７】
前記少なくとも１つのトリガー装置は、前記電力出力装置の前記複数の巻線の少なくとも１つ用のコネクタに連結する電流センサを備える請求項１６に記載の風力タービン。
【請求項１８】
前記少なくとも１つのトリガー装置は、前記電力出力装置の前記複数の巻線の少なくとも１つまたは前記電力出力装置の前記複数の巻線の少なくとも１つ用のコネクタに連結する電圧センサを備える請求項１２に記載の風力タービン。
【請求項１９】
前記少なくとも１つのトリガー装置は、コントローラ故障判定モジュールである請求項１２に記載の風力タービン。
【請求項２０】
前記風力タービンの動作は、前記コントローラから電気的に分離された回路部品を用いて、電流に基づくトルクの増加により、制御される請求項１に記載の風力タービン。
【請求項２１】
前記電力出力装置は、単相である請求項１に記載の風力タービン。
【請求項２２】
前記電力出力装置は、交流発電機である請求項１に記載の風力タービン。
【請求項２３】
前記電力出力装置は、発電機である請求項１に記載の風力タービン。
【請求項２４】
前記複数の巻線の少なくとも１つが故障すると、増加した前記電流に基づく前記風力タービンの動作に対抗するトルクは発生可能である請求項２又は請求項３に記載の風力タービン。
【請求項２５】
電流に基づく前記風力タービンの動作に対抗するトルクの増加は、パルス幅変調を前記電力出力装置の前記複数の巻線の少なくとも１つに加えることを含み、
前記複数の巻線の少なくとも１つが故障すると、増加した前記電流に基づく前記風力タービンの動作に対抗するトルクは発生可能である請求項２０に記載の風力タービン。
【請求項２６】
電流に基づく前記風力タービンの動作に対抗するトルクの増加は、前記電力出力装置の前記複数の巻線の少なくとも１つを短絡することを含み、
前記複数の巻線の少なくとも１つが故障すると、増加した前記電流に基づく前記風力タービンの動作に対抗するトルクは発生可能である請求項２０に記載の風力タービン。
【請求項２７】
前記風力タービンの動作を制御するために付加的な負荷は不要である請求項２５又は請求項２６に記載の風力タービン。
【請求項２８】
前記電力出力装置はスロットなし巻線部分を備え、
前記複数の巻線は、前記スロットなし巻線部分内に含まれ、
前記スロットなし巻線部分は一般に円形の断面形状を有し、前記スロットなし巻線部分は、前記円形の断面形状の半径方向で、複数の区域に分割され、前記スロットなし巻線部分の各区分は、複数の据え付けられた巻線セットを備え、かつ前記スロットなし巻線部分の区分間の接続を可能にするコネクタを有する請求項１に記載の風力タービン。
【請求項２９】
前記スロットなし巻線部分はコアを備え、
前記コアは複数の区域に分割されて、
分割された前記巻線部分の各区分は、複数の前記コア区分の１つを備える請求項２８に記載の風力タービン。
【請求項３０】
前記複数のコア区分のそれぞれは、成形区分に含まれる請求項２９に記載の風力タービン。
【請求項３１】
前記成形区分は、プラスチックからなる請求項３０に記載の風力タービン。
【請求項３２】
分割された前記巻線部分の区分は、少なくとも１つの連結部品により接続される請求項２８に記載の風力タービン。
【請求項３３】
前記少なくとも１つの連結部品は、回路基板である請求項３２に記載の風力タービン。
【請求項３４】
前記少なくとも１つの連結部品の１つは、前記巻線部分から電力を出力するための少なくとも１つのリード線を備える請求項３２に記載の風力タービン。
【請求項３５】
前記装置は、複数の相を有し、
前記複数の据え付けられた巻線セットのそれぞれは、前記複数の相の１つに対応する請求項２８に記載の風力タービン。
【請求項３６】
前記複数の据え付けられた巻線セットのそれぞれは、前記複数の相の同じものに対応する少なくとも２つの据え付けられた巻線セットを備える請求項３５に記載の風力タービン。
【請求項３７】
前記複数の相の同じものに対応する前記少なくとも２つの据え付けられた巻線セットの連続対のそれぞれは、直列に接続される請求項３６に記載の風力タービン。
【請求項３８】
直列に接続される前記少なくとも２つの据え付けられた巻線セットの連続対のそれぞれの第１の据え付けられた巻線セットは、直列に接続される前記少なくとも２つの据え付けられた巻線セットの連続対のそれぞれの第２の据え付けられた巻線セットと反対の極性を有する請求項３７に記載の風力タービン。
【請求項３９】
直列に接続される前記少なくとも２つの据え付けられた巻線セットの連続対のそれぞれの第１の据え付けられた巻線セットは、直列に接続される前記少なくとも２つの据え付けられた巻線セットの連続対のそれぞれの第２の据え付けられた巻線セットと同じ極性を有する請求項３７に記載の風力タービン。
【請求項４０】
前記複数の巻線セットのそれぞれは、同じである請求項２８に記載の風力タービン。
【請求項４１】
前記電力出力装置を収容するハウジングをさらに備える請求項１に記載の風力タービン。
【請求項４２】
前記コントローラは、前記ハウジング内に収容される請求項４１に記載の風力タービン。
【請求項４３】
前記風力タービンは、無線装置により制御される請求項１に記載の風力タービン。
【請求項４４】
ブレードと、
動作可能なように前記ブレードに接続され、前記ブレードが回転すると発電をする複数の巻線を有した電力出力装置と、
可変速度で前記電力出力装置を動作させ、かつ風力タービンからの電力出力を空気力学的失速により制御するコントローラとを備え、
前記コントローラは、電流に基づく前記風力タービンの動作に対抗するトルクの増加により、前記風力タービンの動作を制御する前記電力出力装置に接続される回路部品を備える風力タービン。
【請求項４５】
電流に基づく前記風力タービンの動作に対抗するトルクの増加は、パルス幅変調を前記電力出力装置の前記複数の巻線の少なくとも１つに加えることを含む請求項４４に記載の風力タービン。
【請求項４６】
電流に基づく前記風力タービンの動作に対抗するトルクの増加は、前記電力出力装置の前記複数の巻線の少なくとも１つを短絡させることを含む請求項４４に記載の風力タービン。
【請求項４７】
前記電力出力装置は、単相である請求項４４に記載の風力タービン。
【請求項４８】
前記複数の巻線の少なくとも１つが故障すると、増加した前記電流に基づく前記風力タービンの動作に対抗するトルクは発生可能である請求項４５又は請求項４６に記載の風力タービン。
【請求項４９】
前記風力タービンの動作は、前記コントローラから電気的に分離された回路部品を用いて、電流に基づくトルクの増加により制御され、
電流に基づく前記風力タービンの動作に対抗するトルクの増加は、パルス幅変調を前記電力出力装置の前記複数の巻線の少なくとも１つに加えることを含み、
前記複数の巻線の少なくとも１つが故障すると、増加した前記電流に基づく前記風力タービンの動作に対抗するトルクは発生可能である請求項４４に記載の風力タービン。
【請求項５０】
前記風力タービンの動作は、前記コントローラから電気的に分離された回路部品を用いて、増加する電流に基づくトルクにより制御され、
電流に基づく前記風力タービンの動作に対抗するトルクの増加は、前記電力出力装置の前記複数の巻線の少なくとも１つを短絡させることを含み、
前記複数の巻線の少なくとも１つが故障すると、増加した前記電流に基づく前記風力タービンの動作に対抗するトルクは発生可能である請求項４４に記載の風力タービン。
【請求項５１】
前記風力タービンの動作を制御するために付加的な負荷は不要である請求項４９又は請求項５０に記載の風力タービン。
【請求項５２】
前記電力出力装置はスロットなし巻線部分を備え、
前記複数の巻線は、前記スロットなし巻線部分内に含まれ、
前記スロットなし巻線部分は一般に円形の断面形状を有し、前記スロットなし巻線部分は、前記円形の断面形状の半径方向で、複数の区域に分割され、前記スロットなし巻線部分の各区分は、複数の据え付けられた巻線セットを備え、かつ前記スロットなし巻線部分の区分間の接続を可能にするコネクタを有する請求項４４に記載の風力タービン。
【請求項５３】
前記スロットなし巻線部分はコアを備え、
前記コアは複数の区域に分割されて、
分割された巻線部分の各区分は、複数の前記コア区分の１つを備える請求項５２に記載の風力タービン。
【請求項５４】
前記複数のコア区分のそれぞれは、成形区分に含まれる請求項５３に記載の風力タービン。
【請求項５５】
前記成形区分は、プラスチックからなる請求項５４に記載の風力タービン。
【請求項５６】
分割された前記巻線部分の区分は、少なくとも１つの連結部品により接続される請求項５２に記載の風力タービン。
【請求項５７】
前記少なくとも１つの連結部品は、回路基板である請求項５６に記載の風力タービン。
【請求項５８】
前記少なくとも１つの連結部品の１つは、前記巻線部分から電力を出力するための少なくとも１つのリード線を備える請求項５６に記載の風力タービン。
【請求項５９】
前記装置は、複数の相を有し、
前記複数の据え付けられた巻線セットのそれぞれは、前記複数の相の１つに対応する請求項５２に記載の風力タービン。
【請求項６０】
前記複数の据え付けられた巻線セットのそれぞれは、前記複数の相の同じものに対応する少なくとも２つの据え付けられた巻線セットを備える請求項５９に記載の風力タービン。
【請求項６１】
前記複数の相の同じものに対応する前記少なくとも２つの据え付けられた巻線セットの連続対のそれぞれは、直列に接続される請求項６０に記載の風力タービン。
【請求項６２】
直列に接続される前記少なくとも２つの据え付けられた巻線セットの連続対のそれぞれの第１の据え付けられた巻線セットは、直列に接続される前記少なくとも２つの据え付けられた巻線セットの連続対のそれぞれの第２の据え付けられた巻線セットと反対の極性を有する請求項６１に記載の風力タービン。
【請求項６３】
直列に接続される前記少なくとも２つの据え付けられた巻線セットの連続対のそれぞれの第１の据え付けられた巻線セットは、直列に接続される前記少なくとも２つの据え付けられた巻線セットの連続対のそれぞれの第２の据え付けられた巻線セットと同じ極性を有する請求項６１に記載の風力タービン。
【請求項６４】
前記複数の巻線セットのそれぞれは、同じである請求項６２に記載の風力タービン。
【請求項６５】
前記電力出力装置を収容するハウジングをさらに備える請求項４４に記載の風力タービン。
【請求項６６】
前記コントローラは、前記ハウジング内に収容される請求項６５に記載の風力タービン。
【請求項６７】
前記風力タービンは、無線装置により制御される請求項４４に記載の風力タービン。
【請求項６８】
ブレードと、
動作可能なように前記ブレードに接続される、複数の巻線を有する電力出力装置であって、前記ブレードが回転すると発電をする電力出力装置と、
可変速度で前記電力出力装置を動作させ、かつ風力タービンからの電力出力を空気力学的失速により制御するコントローラと、
電流に基づく前記風力タービンの動作に対抗するトルクの増加により、前記風力タービンの動作を制御する前記電力出力装置に連結されるバックアップ回路と、を備える風力タービン。
【請求項６９】
電流に基づく前記風力タービンの動作に対抗するトルクの増加は、パルス幅変調を前記電力出力装置の前記複数の巻線の少なくとも１つに加えることを含む請求項６８に記載の風力タービン。
【請求項７０】
電流に基づく前記風力タービンの動作に対抗するトルクの増加は、前記電力出力装置の前記複数の巻線の少なくとも１つを短絡させることを含む請求項６８に記載の風力タービン。
【請求項７１】
前記電力出力装置は、単相である請求項６８に記載の風力タービン。
【請求項７２】
風力タービン制御およびバックアップシステムであって、
風力タービンのための電気出力発生装置の複数の巻線に接続可能な制御回路であって、前記風力タービンからの出力を空気力学的失速により制御するために可変速度で前記電気出力発生装置を動作させる制御回路と、
電流に基づく前記風力タービンの動作に対抗するトルクの増加により、緊急状態において前記風力タービンの動作を制御する前記電気出力発生装置に連結されるバックアップ回路と、を備えるシステム。
【請求項７３】
電流に基づく前記風力タービンの動作に対抗するトルクの増加は、パルス幅変調を前記電気出力発生装置の前記複数の巻線の少なくとも１つに加えることを含む請求項７２に記載の風力タービン。
【請求項７４】
電流に基づく前記風力タービンの動作に対抗するトルクの増加は、前記電気出力発生装置の前記複数の巻線の少なくとも１つを短絡させることを含む請求項７２に記載の風力タービン。
【請求項７５】
前記電気出力発生装置は、交流発電機である請求項７２に記載の風力タービン。
【請求項７６】
前記電気出力発生装置は、単相である請求項７２に記載の風力タービン。
【請求項７７】
風力タービンは、電気出力発生装置と、前記電気出力発生装置に連結される制御回路とを備え、前記電気出力発生装置は複数の巻線を有する、風力タービントリガー動作回路であって、
前記複数の巻線に連結される停止スイッチであって、電流に基づく前記風力タービンの動作に対抗するトルクを増加可能な停止スイッチと、
前記停止スイッチに連結される停止制御モジュールであって、緊急状態が存在するトリガー装置から信号を受信すると、前記停止スイッチにより前記風力タービンを停止させる停止制御モジュールと、を備える風力タービントリガー動作回路。
【請求項７８】
電流に基づく前記風力タービンの動作に対抗するトルクの増加は、パルス幅変調を前記電気出力発生装置の前記複数の巻線の少なくとも１つに加えることを含む請求項７７に記載の風力タービン。
【請求項７９】
電流に基づく前記風力タービンの動作に対抗するトルクの増加は、前記電気出力発生装置の前記複数の巻線の少なくとも１つを短絡することを含む請求項７７に記載の風力タービン。
【請求項８０】
前記電気出力発生装置は、単相である請求項７７に記載の風力タービン。
【請求項８１】
風力タービンは、電気出力発生装置と、前記電気出力発生装置に連結される制御回路と、風力タービン速度判断器とを備え、前記電気出力発生装置は複数の巻線を有する、風力タービントリガー動作回路であって、
前記複数の巻線に連結され、電流に基づく前記風力タービンの動作に対抗するトルクを増加可能な停止スイッチと、
前記停止スイッチの動作を制御する停止制御モジュールと、を備え、
前記停止制御モジュールは、少なくとも１つの所定状態が起きたと判断すると、前記停止スイッチにより前記風力タービンを停止させ、
前記少なくとも１つの所定状態は、前記複数の巻線の故障、前記制御回路の誤動作、および前記風力タービン速度判断器が風力タービン速度が所定の閾値に到達したと判断すること、から選択される風力タービントリガー動作回路。
【請求項８２】
電流に基づく前記風力タービンの動作に対抗するトルクの増加は、パルス幅変調を前記複数の巻線の少なくとも１つに加えることを含む請求項８１に記載の風力タービン。
【請求項８３】
電流に基づく前記風力タービンの動作に対抗するトルクの増加は、前記複数の巻線の少なくとも１つを短絡することを含む請求項８１に記載の風力タービン。
【請求項８４】
前記電気出力発生装置は、単相である請求項８１に記載の風力タービン。
【請求項８５】
風力タービンは、電気出力発生装置の複数の巻線に連結される制御回路を備え、前記風力タービンは、巻線センサおよび風力タービン速度判断器をさらに備える、トリガー状態の風力タービンを制御する方法であって、
前記巻線センサにより前記複数の巻線の状態を判断すること、
前記風力タービン速度判断器により前記風力タービンの回転速度を判断すること、
前記制御回路の動作状態を判断すること、
前記複数の巻線の少なくとも１つのグループが動作不能であると判断されること、前記制御回路が誤動作したと判断されること、前記風力タービンの回転速度が所定の閾値に到達したと判断することから選択されるトリガー事象が発生すると、前記風力タービンの動作を遅らせるように、電流に基づく前記風力タービンの動作に対抗するトルクを増加させること、からなる方法。
【請求項８６】
電流に基づく前記風力タービンの動作に対抗するトルクの増加は、パルス幅変調を前記複数の巻線の故障していない少なくとも１つに加えることを含む請求項８５に記載の方法。
【請求項８７】
電流に基づく前記風力タービンの動作に対抗するトルクの増加は、前記複数の巻線の故障していない少なくとも１つを短絡することを含む請求項８５に記載の方法。
【請求項８８】
前記巻線センサは、電流センサである請求項８５に記載の方法。
【請求項８９】
前記巻線センサは、電圧センサである請求項８５に記載の方法。
【請求項９０】
前記巻線センサは、電力センサである請求項８５に記載の方法。
【請求項９１】
前記巻線センサは、トルクセンサである請求項８５に記載の方法。
【請求項９２】
前記巻線センサは、前記複数の巻線のそれぞれの状態およびそれぞれの接続を感知する請求項８５に記載の方法。
【請求項９３】
前記電気出力発生装置は、単相である請求項８５に記載の方法。